(57)【要約】【課題】監視業務に関わる有限のリソースを効果的に配置することを可能とする技術を提供する。【解決手段】情報処理装置（１０）は、事故発生の可能性又は犯罪発生の可能性が高くなる空間領域及びその時間帯を示す高リスク時空間情報を取得する時空間情報取得部（１１０）と、高リスク時空間情報に基づいて、複数の場所のそれぞれを撮像することにより生成された複数の映像の中から解析対象の映像を特定し、該特定された映像を解析して、監視対象候補の情報を取得する監視対象候補取得部（１２０）と、監視対象候補の情報に基づいて、高リスク時空間情報が示す空間領域及び時間帯の中で、当該空間領域の少なくとも一部である監視すべき空間領域、又は監視すべき時間帯の少なくとも一方を特定する対象時空間特定部（１３０）と、を備える。【選択図】図１
2020187781.tif 000002
【特許請求の範囲】
【請求項１】
事故発生の可能性又は犯罪発生の可能性が高くなる空間領域と、その時間帯及び年月日の少なくともいずれか一方と、を示す高リスク時空間情報を取得する時空間情報取得手段と、
前記高リスク時空間情報に基づいて、複数の場所のそれぞれを撮像することにより生成された複数の映像の中から解析対象の映像を特定し、該特定された映像を解析して、監視対象候補の情報を取得する監視対象候補取得手段と、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段と、
を備える、情報処理装置。
【請求項２】
事故又は犯罪の被害者候補の情報を取得する被害者候補情報取得手段を更に備え、
前記対象時空間特定手段は、
前記被害者候補の情報を用いて、前記監視すべき空間領域又は前記監視すべき時間帯の少なくとも一方を調整する、
請求項１に記載の情報処理装置。
【請求項３】
前記被害者候補情報取得手段は、
前記監視対象候補の情報に関連する事故又は犯罪の情報を基に、前記被害者候補を選択する、
請求項２に記載の情報処理装置。
【請求項４】
前記特定された映像又は該映像の場所を特定する情報に基づいて、該映像に含まれる領域の環境情報を取得する環境情報取得手段を更に備え、
前記対象時空間特定手段は、
前記環境情報を用いて、前記監視すべき空間領域又は前記監視すべき時間帯の少なくとも一方を調整する、
請求項１から３のいずれか１つに記載の情報処理装置。
【請求項５】
前記監視すべき空間領域又は前記監視すべき時間帯の少なくとも一方に応じた監視の結果の入力を受け付け、該入力された結果をデータベース化するデータベース化手段を更に備える、
請求項１から４のいずれか１つに記載の情報処理装置。
【請求項６】
前記対象時空間特定手段は、
前記データベース化された結果を用いて、前記監視すべき空間領域又は前記監視すべき時間帯の少なくとも一方を調整する、
請求項５に記載の情報処理装置。
【請求項７】
前記時空間情報取得手段は、
前記データベース化された結果をフィードバック情報として取得し、
当該取得したフィードバック情報を、事故発生の可能性又は犯罪発生の可能性が高くなる空間領域及び時間帯の予測処理に利用し、前記高リスク時空間情報を取得する、
請求項５に記載の情報処理装置。
【請求項８】
前記監視対象候補取得手段は、
前記特定された映像の範囲内の人物を認識し、
該認識した人物と、既存の要監視者の情報を登録する記憶手段の前記要監視者と照合し、
該記憶手段の中で該当する人物を前記監視対象候補として特定する、
請求項１から７のいずれか１つに記載の情報処理装置。
【請求項９】
前記監視対象候補取得手段は、
前記特定された映像を解析した結果、同一と推定される人物を所定範囲の場所において所定回数以上又は所定時間以上検出した場合に、該人物を前記監視対象候補として特定する、
請求項１から８のいずれか１つに記載の情報処理装置。
【請求項１０】
前記監視対象候補取得手段は、
前記特定された映像を解析した結果、同一と推定される二輪又は三輪の車両であって、二人乗りをしている二輪又は三輪の車両を所定範囲の場所において所定回数以上又は所定時間以上検出した場合に、該二輪又は三輪の車両を前記監視対象候補として特定する、
請求項１から９のいずれか１つに記載の情報処理装置。
【請求項１１】
前記監視対象候補取得手段は、
前記特定された映像の範囲内の車両を認識し、
各車両の所有者を含む情報を登録する記憶手段を参照して該認識した車両の所有者を特定し、
該特定した所有者と、既存の要監視者の情報を登録する記憶手段の前記要監視者と照合し、
該記憶手段の中で該当する人物を前記監視対象候補として特定する、
請求項１から１０のいずれか１つに記載の情報処理装置。
【請求項１２】
前記監視対象候補取得手段は、
前記特定された映像の範囲内の車両を認識し、
該認識した車両を、交通事故を起こした人物又は交通規則に違反した人物が所有する車両の情報を登録する記憶手段の前記車両と照合し、
該記憶手段で該当する車両を前記監視対象候補として特定する、
請求項１から１１のいずれか１つに記載の情報処理装置。
【請求項１３】
コンピュータが、
事故発生の可能性又は犯罪発生の可能性が高くなる空間領域と、その時間帯及び年月日の少なくともいずれか一方と、を示す高リスク時空間情報を取得し、
前記高リスク時空間情報に基づいて、複数の場所のそれぞれを撮像することにより生成された複数の映像の中から解析対象の映像を特定し、該特定された映像を解析して、監視対象候補の情報を取得し、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する、
ことを含む情報処理方法。
【請求項１４】
コンピュータを、
事故発生の可能性又は犯罪発生の可能性が高くなる空間領域と、その時間帯及び年月日の少なくともいずれか一方と、を示す高リスク時空間情報を取得する時空間情報取得手段、
前記高リスク時空間情報に基づいて、複数の場所のそれぞれを撮像することにより生成された複数の映像の中から解析対象の映像を特定し、該特定された映像を解析して、監視対象候補の情報を取得する監視対象候補取得手段、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段、
として機能させるためのプログラム。
【請求項１５】
事故発生の可能性又は犯罪発生の可能性が高くなる空間領域と、その時間帯及び年月日の少なくともいずれか一方と、を示す高リスク時空間情報を取得する時空間情報取得手段と、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得する被害者候補情報取得手段と、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段と、
を備える、情報処理装置。
【請求項１６】
コンピュータが、
事故発生の可能性又は犯罪発生の可能性が高くなる空間領域と、その時間帯及び年月日の少なくともいずれか一方と、を示す高リスク時空間情報を取得し、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得し、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する、
ことを含む情報処理方法。
【請求項１７】
コンピュータを、
事故発生の可能性又は犯罪発生の可能性が高くなる空間領域と、その時間帯及び年月日の少なくともいずれか一方と、を示す高リスク時空間情報を取得する時空間情報取得手段、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得する被害者候補情報取得手段、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段、
として機能させるためのプログラム。
【発明の詳細な説明】
【技術分野】
【０００１】
本発明は、監視業務の計画立案を支援する技術に関する。
【背景技術】
【０００２】
下記特許文献１には追跡すべき人物が所在する可能性の高いエリアを特定する技術が開示されている。また、下記特許文献２及び下記特許文献３には、過去の犯罪データや過去の交通／民事の事故のデータに基づいて、犯罪や事故が発生する可能性の高い時空間を予測し、該予測した時空間の情報に基づいて警察の人員配置計画の立案を支援する技術が開示されている。
【０００３】
またこの他にも、事件が発生した場合を対象としたセキュリティ技術の一例が、例えば、下記の特許文献４乃至特許文献６に開示されている。特許文献４は、監視区域内に備えられる発報装置を開示している。該発報装置は、事件の発生を通知する信号を出力するためのスイッチを有し、該スイッチが被害者によって押下されると、該スイッチを押下した時間又はそれ以前に撮影された監視区域の画像を解析して、被害者と注目人物を特定する。また特許文献５は、監視対象の建物に設けられた監視用装置（センサ等）で脅威となる出来事や犯人を検知した場合に、該検知した脅威の位置を監視するカメラの映像や該映像から判断される追加情報（どのように犯人が侵入したかを示す情報、犯人を識別する情報、被害者の情報、犯人の動きを示す情報、犯人の移動方向を示す情報など）を、当局者の保持する装置に送信する技術を開示している。また特許文献６は、映像監視によって要注意人物を確認し、建物内における要注意人物の予想位置や建物内における要注意人物の動きに関するリアルタイムの電子情報を提供する装置を開示している。
【先行技術文献】
【特許文献】
【０００４】
【特許文献１】特開２０１４−２１５７４７号公報
【特許文献２】米国特許第８９４９１６４号明細書
【特許文献３】米国特許第８８４９７２８号明細書
【特許文献４】特開２００３−１０９１５５号公報
【特許文献５】欧州特許出願公開第２７７９１３０号明細書
【特許文献６】米国特許出願公開第２０１５／０１２４０８７号明細書
【発明の概要】
【発明が解決しようとする課題】
【０００５】
監視業務に関わるリソース（警察官や警備員などの人的リソース、ドローンやその他の移動型機器などの物的リソース）には限りがある。そのため上記特許文献１の技術において、追跡すべき人物が所在する可能性が高いエリアが広い場合、その広大なエリア全てをカバーして追跡することは難しい。また、上記特許文献２および特許文献３の技術も同様に、予測されたエリアと時間が広範囲に亘る場合、有限のリソースではカバーしきれない可能性がある。よって、監視業務に関わる有限のリソースを効果的に配置することを可能とする技術が望まれる。
【０００６】
本発明の目的は、監視業務に関わる有限のリソースを効果的に配置することを可能とする技術を提供することにある。
【課題を解決するための手段】
【０００７】
本発明によれば、
事故発生の可能性又は犯罪発生の可能性が高くなる空間領域と、その時間帯及び年月日の少なくともいずれか一方と、を示す高リスク時空間情報を取得する時空間情報取得手段と、
前記高リスク時空間情報に基づいて、複数の場所のそれぞれを撮像することにより生成された複数の映像の中から解析対象の映像を特定し、該特定された映像を解析して、監視対象候補の情報を取得する監視対象候補取得手段と、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段と、
を備える、情報処理装置が提供される。
【０００８】
本発明によれば、
コンピュータが、
事故発生の可能性又は犯罪発生の可能性が高くなる空間領域と、その時間帯及び年月日の少なくともいずれか一方と、を示す高リスク時空間情報を取得し、
前記高リスク時空間情報に基づいて、複数の場所のそれぞれを撮像することにより生成された複数の映像の中から解析対象の映像を特定し、該特定された映像を解析して、監視対象候補の情報を取得し、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する、
ことを含む情報処理方法が提供される。
【０００９】
本発明によれば、
コンピュータを、
事故発生の可能性又は犯罪発生の可能性が高くなる空間領域と、その時間帯及び年月日の少なくともいずれか一方と、を示す高リスク時空間情報を取得する時空間情報取得手段、
前記高リスク時空間情報に基づいて、複数の場所のそれぞれを撮像することにより生成された複数の映像の中から解析対象の映像を特定し、該特定された映像を解析して、監視対象候補の情報を取得する監視対象候補取得手段、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段、
として機能させるためのプログラムが提供される。
【００１０】
本発明によれば、
事故発生の可能性又は犯罪発生の可能性が高くなる空間領域と、その時間帯及び年月日の少なくともいずれか一方と、を示す高リスク時空間情報を取得する時空間情報取得手段と、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得する被害者候補情報取得手段と、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段と、
を備える、情報処理装置が提供される。
【００１１】
本発明によれば、
コンピュータが、
事故発生の可能性又は犯罪発生の可能性が高くなる空間領域と、その時間帯及び年月日の少なくともいずれか一方と、を示す高リスク時空間情報を取得し、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得し、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する、
ことを含む情報処理方法が提供される。
【００１２】
本発明によれば、
コンピュータを、
事故発生の可能性又は犯罪発生の可能性が高くなる空間領域及びその時間帯を示す高リスク時空間情報を取得する時空間情報取得手段、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得する被害者候補情報取得手段、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段、
として機能させるためのプログラムが提供される。
【発明の効果】
【００１３】
本発明によれば、監視業務に関わる有限のリソースを効果的に配置することが可能となる。
【図面の簡単な説明】
【００１４】
上述した目的、およびその他の目的、特徴および利点は、以下に述べる好適な実施の形態、およびそれに付随する以下の図面によってさらに明らかになる。
【００１５】
【図１】第１実施形態の情報処理装置の機能構成を概念的に示す図である。
【図２】情報処理装置のハードウエア構成を例示する図である。
【図３】第１実施形態の情報処理装置の処理の流れを示すフローチャートである。
【図４】高リスク時空間情報の一例を示す図である。
【図５】各撮像装置の位置情報を記憶する記憶部の情報を例示する図である。
【図６】各撮像装置で生成された映像を収集及び管理する記憶部の一例を示す図である。
【図７】第２実施形態の情報処理装置の機能構成を概念的に示す図である。
【図８】第２実施形態の情報処理装置の処理の流れを示すフローチャートである。
【図９】テンプレート情報記憶部が記憶する情報の一例を示す図である。
【図１０】第３実施形態の情報処理装置の機能構成を概念的に示す図である。
【図１１】第３実施形態の情報処理装置の処理の流れを示すフローチャートである。
【図１２】環境情報記憶部が記憶する情報の一例を示す図である。
【図１３】第４実施形態の情報処理装置の機能構成を概念的に示す図である。
【発明を実施するための形態】
【００１６】
以下、本発明の実施形態について、図面を用いて説明する。尚、すべての図面において、同様な構成要素には同様の符号を付し、適宜説明を省略する。また、ハードウエア構成図を除く各ブロック図において、各ブロックはハードウエア単位の構成ではなく、機能単位の構成を表している。
【００１７】
［第１実施形態］
本発明に係る情報処理装置は、例えば警察官や警備員といった、犯罪や事故などに対する監視業務に従事する人物、並びに、監視業務に従事する人物によって操作される機器などが重点的に監視すべき空間領域又は重点的に監視すべき時間を提示する。
【００１８】
〔機能構成〕
図１は、第１実施形態の情報処理装置１０の機能構成を概念的に示す図である。図１に示されるように、本実施形態の情報処理装置１０は、時空間情報取得部１１０、監視対象候補取得部１２０、及び対象時空間特定部１３０を備える。時空間情報取得部１１０は、事故発生の可能性又は犯罪発生の可能性が高くなる空間領域及びその時間帯を示す高リスク時空間情報を取得する。監視対象候補取得部１２０は、高リスク時空間情報に基づいて、複数の場所のそれぞれを撮像することにより生成された複数の映像の中から解析対象の映像を特定する。そして、監視対象候補取得部１２０は、該特定された映像を解析して、監視対象候補の情報を取得する。対象時空間特定部１３０は、高リスク時空間情報が示す空間領域および時間帯の中で、当該空間領域の少なくとも一部である監視すべき空間領域又は監視すべき時間帯の少なくとも一方を特定する。
【００１９】
〔作用・効果〕
本実施形態によれば、高リスク時空間情報、すなわち、犯罪発生または事故発生の可能性が高い（以下、"高リスク"とも表記）空間領域およびその時間帯に関連する映像（静止画像または動画像）が解析されて、監視対象候補（詳しくは後述するが、人物または物体）の情報が取得される。そして、その監視対象候補の情報を用いて、高リスク時空間情報が示す空間領域および時間帯の中から、重点的に監視すべき空間領域又は重点的に監視すべき時間帯が特定される。この「重点的に監視すべき空間領域または重点的に監視すべき時間帯」は、図示しない表示装置などに提示される。本実施形態に係る情報処理装置１０により提示される情報は、監視業務に携わる有限リソース（警察官や警備員などの人的リソース、ドローンやその他の移動型機器などの物的リソース）の効果的な配置計画を立案するための有益な情報となる。例えば、監視業務の責任者などが、重点的に監視すべき空間領域を中心にリソースを集中させる、重点的に監視すべき時間を軸としてリソースを集中させる、といった戦略を容易に立てることができる。
【００２０】
また本実施形態では、高リスク時空間情報を用いることにより、解析対象の映像が多数の映像の中から絞り込まれる。これにより、全ての映像を解析対象とした場合と比較して、有限リソースの効果的な配置を検討する処理を行う際にマシンにかかる負荷を低減させる効果も見込める。
【００２１】
以下、本実施形態の情報処理装置１０を更に詳細に説明する。
【００２２】
〔ハードウエア構成〕
情報処理装置１０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、情報処理装置１０の各機能構成部がハードウエアとソフトウエアとの組み合わせで実現される場合について、さらに説明する。
【００２３】
図２は、情報処理装置１０のハードウエア構成を例示する図である。情報処理装置１０は、バス１０１、プロセッサ１０２、メモリ１０３、ストレージ１０４、入出力インタフェース１０５、及び通信インタフェース１０６を有する。バス１０１は、データを送受信するためのデータ伝送路である。プロセッサ１０２、メモリ１０３、ストレージ１０４、入出力インタフェース１０５、及び通信インタフェース１０６は、バス１０１を介して相互にデータを送受信する。但し、プロセッサ１０２などを互いに接続する方法は、バス接続に限定されない。プロセッサ１０２は、ＣＰＵ（Central Processing Unit）やＧＰＵ（Graphics Processing Unit）などの演算処理装置である。メモリ１０３は、ＲＡＭ（Random Access Memory）やＲＯＭ（Read Only Memory）などのメモリである。ストレージ１０４は、ＨＤＤ（Hard Disk Drive）、ＳＳＤ（Solid State Drive）、又はメモリカードなどの記憶装置である。また、ストレージ１０４は、ＲＡＭやＲＯＭなどのメモリであってもよい。
【００２４】
入出力インタフェース１０５は、情報処理装置１０と入出力デバイスとを接続するためのインタフェースである。例えば入出力インタフェース１０５には、マウス、キーボードなどの入力装置や、ＣＲＴ（Cathode Ray Tube）ディスプレイやＬＣＤ（Liquid Crystal Display）などの表示装置、入力装置と表示装置が一体化したタッチパネルなどが接続される。
【００２５】
通信インタフェース１０６は、情報処理装置１０をインターネットなどのネットワークに接続させて、該ネットワークを介して外部の装置と通信可能にするためのインタフェースである。例えば情報処理装置１０は、ネットワークを介して撮像装置２０と接続される。但し、情報処理装置１０は撮像装置２０と接続されていなくてもよい。
【００２６】
ここで撮像装置２０は、例えば監視カメラなどの所定の位置に固定されたカメラであってもよいし、車載カメラ、又は、警備員や警察官が身に着けるウェアラブルカメラなどの移動型カメラであってもよい。移動型カメラは、自身の位置情報を取得する機能（例えば、ＧＰＳ（Global Positioning System）情報や無線通信で帰属する基地局の情報を取得する機能）を備える。移動型カメラは、映像を生成する際に、その時点の位置情報を取得して、当該生成した映像と紐付ける。これにより、監視対象候補取得部１２０は、移動型の撮像装置で撮像された映像が解析対象の映像か否かを判断できるようになる。例えば、監視対象候補取得部１２０は、移動型の撮像装置で生成された映像に紐付けられた位置情報が高リスク時空間情報の空間領域に含まれるか否かによって、その映像が解析対象の映像か否かを判断できる。
【００２７】
ストレージ１０４は、情報処理装置１０の上記各処理部の機能を実現するプログラムモジュールを記憶している。プロセッサ１０２は、これら各プログラムモジュールを実行することにより、そのプログラムモジュールに対応する各処理部の機能を実現する。ここでプロセッサ１０２は、上記各プログラムモジュールを実行する際、これらのプログラムモジュールをメモリ１０３上に読み出してから実行してもよいし、メモリ１０３上に読み出さずに実行してもよい。
【００２８】
なお、情報処理装置１０のハードウエア構成は図２に示した構成に限定されない。例えば、各プログラムモジュールはメモリ１０３に格納されていてもよい。この場合、情報処理装置１０はストレージ１０４を備えていなくてもよい。また例えば、図２中の複数の撮像装置２０の少なくとも一部が、情報処理装置１０として機能してもよい。この場合、当該撮像装置２０は、インテリジェントカメラ（例えば、内部に解析機能を備えるＩＰカメラやネットワークカメラ。スマートカメラ等とも呼ばれる。）などであり、上述した情報処理装置１０の各機能（時空間情報取得部１１０、監視対象候補取得部１２０、及び対象時空間特定部１３０）のプログラムモジュールを記憶するメモリやストレージデバイス、該プログラムモジュールを実行するプロセッサ、並びに、外部装置（例えば、他の撮像装置２０）と通信するための通信インタフェースを含んで構成される。
【００２９】
〔動作例〕
図３を用いて、本実施形態の情報処理装置１０で実行される処理の流れを説明する。図３は、第１実施形態の情報処理装置１０の処理の流れを示すフローチャートである。
【００３０】
まず、時空間情報取得部１１０は高リスク時空間情報を取得する（Ｓ１０２）。時空間情報取得部１１０は、例えば、上記特許文献２や上記特許文献３の機能を実現するプログラムモジュールとしてストレージ１０４に記憶されていて、プロセッサ１０２が該プログラムを実行することで高リスク時空間を予測して取得する。またこれに限らず、時空間情報取得部１１０は、例えば上記特許文献２や上記特許文献３の機能を実現するプログラムを実行して高リスク時空間情報を生成する外部装置と通信して、その外部装置から高リスク時空間情報を取得してもよい。また、高リスク時空間情報を生成する手法は、上記特許文献２や上記特許文献３に開示される手法に限定されない。ここで、高リスク時空間情報の一例を図４に示す。但し、図４はあくまで一例であり、高リスク時空間情報はこれに限定されない。図４で例示される高リスク時空間情報は、犯罪発生及び事故発生の可能性が高くなる位置情報（エリア情報）と共に、その時間帯を示す時間帯情報を含む。なお図４では示されていないが、時間帯情報は年月日の情報を更に含んでいてもよい。ここで位置情報（エリア情報）には、例えば、ＧＰＳ情報や住所情報などが設定される。ここで挙げた例に限らず、位置情報は、３つ以上の地点の座標情報（例えば、緯度経度など）によって指定される、ある形状のエリアを示す情報であってもよい。高リスク時空間情報は、発生する可能性のあるリスク（犯罪、交通事故、交通規則違反等）の種類やその発生確率といったその他の情報を更に含んでいてもよい。この場合、時空間情報取得部１１０は、例えば、リスクの種類別（例えば、犯罪の種類別、交通事故の種類別、交通規則違反の種類別）の高リスク時空間情報を取得可能に構成されていてもよい。
【００３１】
次いで監視対象候補取得部１２０は、Ｓ１０２で取得された高リスク時空間情報に基づいて、解析対象の映像を特定して取得する（Ｓ１０４）。
【００３２】
例えば、監視対象候補取得部１２０は、各撮像装置が備えられている位置を示す情報を記憶する記憶部（例：図５）を参照して、高リスク時空間情報が示す空間領域に備えられている撮像装置、或いは、撮像装置の監視対象エリア（撮像エリア）の少なくとも一部が高リスク時空間情報が示す空間領域に含まれる撮像装置を特定する。図５は、各撮像装置の位置情報を記憶する記憶部の情報を例示する図である。図５に例示される記憶部は、各撮像装置の識別情報（装置ＩＤ）と、各撮像装置の位置情報とを紐付けて記憶している。また図５に例示されるように、この記憶部は、監視対象候補取得部１２０が各撮像装置と通信するためのアドレス情報（例えばＩＰ（Internet Protocol）アドレスなど）を更に記憶していてもよい。また例えば、この記憶部は、各撮像装置の監視対象エリアの情報を更に記憶していてもよい。この場合、監視対象候補取得部１２０は、撮像装置の監視対象エリアの少なくとも一部が高リスク時空間情報が示す空間領域に含まれるか否かを、上記記憶部の各撮像装置の監視対象エリアの情報を用いて判定することができる。監視対象エリアの情報は、例えば、その領域を多角形で表し、その頂点位置の座標情報などによって記述することができる。但し、図５はあくまで一例であり、各撮像装置の位置情報を記憶する記憶部の形態はこれに限定されない。この記憶部は、情報処理装置１０に備えられていても、情報処理装置１０と通信可能に接続される他の装置に備えられていてもよい。監視対象候補取得部１２０は、例えば図４の高リスク時空間情報に含まれる位置情報と図５の撮像装置の位置情報とを比較して、高リスク時空間情報が示す空間領域、或いは、その空間領域の近傍の場所に対応する撮像装置を特定する。そして監視対象候補取得部１２０は、特定した撮像装置の映像を解析対象の映像として特定する。そして、監視対象候補取得部１２０は、特定した撮像装置のアドレス情報を用いて当該撮像装置と通信し、解析対象の映像を取得する。
【００３３】
なお撮像装置が、例えば車載カメラ、ドローン、又はウェアラブルカメラのように、その位置が移動する移動型の撮像装置の場合には、当該撮像装置の位置をＧＰＳ等により測位して、記憶部に記憶する。さらに、移動型の撮像装置の高さや向きを示す情報を取得できれば、その撮像装置が監視しているエリアの情報を求めることができる。この場合、記憶部は、このような移動型の撮像装置の高さや向きといった情報を用いて求められる監視対象エリアの情報を更に記憶することができる。
【００３４】
ここで監視対象候補取得部１２０は、現時点の映像、過去の映像（例えば前日や１週間前の同じ時間帯の映像など）、所定時間前（例えば１時間前）から現時点までの映像、又は、入力装置を介して指定された時点から現時点までの映像などを、解析対象の映像として取得する。また監視対象候補取得部１２０は、指定された時間情報に基づいて、解析対象の映像を取得してもよい。特に限定されないが、時間情報は、平日、土日祝日、特定の時間帯、及び曜日と時間帯の組み合わせ（例：平日の児童の下校時間帯）、休校期間（例：夏休み、冬休み）、一般的な給料日、年金支給日などを示す情報である。また監視対象候補取得部１２０は、上記の時間以外の条件（例えば季節、天候、気温など）に基づいて、或いは、時間以外の条件を更に加えて、解析対象の映像を特定して取得してもよい。監視対象候補取得部１２０が解析対象として取得する映像を決定する条件は、予め決められていてもよいし、情報処理装置１０の入力装置等を介して指定されてもよい。
【００３５】
また、撮像装置で生成された映像を収集及び管理する記憶部（例：図６）が存在する場合、監視対象候補取得部１２０は、該記憶部を参照して解析対象の映像を特定することができる。図６は、各撮像装置で生成された映像を収集及び管理する記憶部の一例を示す図である。図６の例では、各映像の識別情報（映像ＩＤ）と共に、該映像を生成した撮像装置の識別情報（装置ＩＤ）、その位置情報、及び撮影開始時刻と撮影終了時刻を含む撮影時刻情報が記憶されている。但し、図６はあくまで一例であり、各撮像装置で生成された映像を収集及び管理する記憶部の形態はこれに限定されない。この記憶部は、情報処理装置１０に備えられていても、情報処理装置１０と通信可能に接続される他の装置に備えられていてもよい。監視対象候補取得部１２０は、高リスク時空間情報に含まれる位置情報を用いて上述のように特定した撮像装置の識別情報、或いは、高リスク時空間情報に含まれる位置情報及び時間情報をキーとして、図６に例示される記憶部の中から、解析対象の映像を特定して取得することができる。
【００３６】
そして監視対象候補取得部１２０は、取得した映像を解析し、監視対象候補の情報を取得する（Ｓ１０６）。ここで、「監視対象候補」とは、犯罪や事故を起こしたことのある人物及びその人物が所有する車両、犯罪や事故を起こす可能性のある人物及び車両を含む。特に限定されないが、監視対象候補取得部１２０は、後述の具体例のように監視対象候補を特定し、監視対象候補の情報を生成する。なお監視対象候補の情報は、例えば、単純に監視対象候補の数であってもよいし、監視対象候補として特定された人物又は物体に関連する情報を含んでいてもよい。
【００３７】
＜第１の具体例＞
本例では、時空間情報取得部１１０は、少なくとも、犯罪に関する高リスク時空間情報を取得する。ここで取得された高リスク時空間情報を基に、解析対象の映像が特定される。なお時空間情報取得部１１０は、ある特定の種別の犯罪に関する高リスク時空間情報を取得し、その種別に応じて解析対象の映像を特定してもよい。監視対象候補取得部１２０は、解析対象として特定された映像の範囲（撮像装置の撮像範囲）内の人物を、例えば顔または人物認識技術などを用いて認識する。これにより、監視対象候補取得部１２０は、解析対象の映像の範囲内に立ち入った人物、立ち去った人物、滞在し続ける人物などを認識する。そして監視対象候補取得部１２０は、認識した人物を、既存の要監視者と照合する。要監視者とは、特に限定されないが、例えば、犯罪歴のある人物、手配中の人物、或いは、何らかの理由で監視対象に挙げられている人物などである。ここで時空間情報取得部１１０が特定の種別の犯罪に関する高リスク時空間情報を取得している場合、監視対象候補取得部１２０は、その種別を用いて照合に用いる既存の要監視者の情報を絞り込むことができる。既存の要監視者の情報は所定の記憶部（図示せず）に登録されており、この記憶部は、例えば警察機関のシステムに備えられている。そして監視対象候補取得部１２０は、その記憶部の中で該当する人物を監視対象候補として特定する。
【００３８】
＜第２の具体例＞
本例では、時空間情報取得部１１０は、少なくとも、犯罪に関する高リスク時空間情報を取得する。ここで取得された高リスク時空間情報を基に、解析対象の映像が特定される。なお時空間情報取得部１１０は、ある特定の種別の犯罪に関する高リスク時空間情報を取得し、その種別に応じて解析対象の映像を特定してもよい。監視対象候補取得部１２０は、解析対象として特定された映像を解析した結果、同一と推定される人物を所定範囲の場所において所定回数以上又は所定時間以上検出した場合に、その映像を解析して得られる該人物の特徴を監視対象候補として特定する。監視対象候補取得部１２０は、例えば、同一と推定される人物をトラッキングする画像認識技術などを用いて、解析対象の映像において同一と推定される人物が検出された回数、又は、検出された時間の長さなどの情報を取得することができる。検出された回数が多い人物は、その所定範囲で頻繁に出現する人物と言える。また検出された時間が長い人物は、その所定範囲を長時間徘徊する人物と言える。このような人物は、犯罪の下見を行っている可能性がある不審人物とも考えられる。そこで、監視対象候補取得部１２０は、映像の解析結果に基づいて、このような人物を監視対象候補として特定する。ここで時空間情報取得部１１０が特定の種別の犯罪に関する高リスク時空間情報を取得している場合、監視対象候補取得部１２０は、その犯罪の種別に紐付けて予め定義された特徴を用いて、監視対象候補を精度よく特定することができる。なお、検出された回数が多い、或いは、検出された時間が長いと判断する閾値などを設けることで、監視対象候補取得部１２０は、その閾値を基に上述したような人物の有無を、解析対象の映像から判断することができる。この閾値などの情報は、例えば、図２のストレージ１０４等に予め格納されていてもよいし、図２の入出力インタフェース１０５や通信インタフェース１０６を介して取得されてもよい。
【００３９】
＜第３の具体例＞
本例では、時空間情報取得部１１０は、少なくとも、犯罪に関する高リスク時空間情報を取得する。ここで取得された高リスク時空間情報を基に、解析対象の映像が特定される。なお時空間情報取得部１１０は、ある特定の種別の犯罪に関する高リスク時空間情報を取得し、その種別に応じて解析対象の映像を特定してもよい。監視対象候補取得部１２０は、解析対象として特定された映像を解析した結果、同一と推定される二輪又は三輪の車両であって、二人乗りをしている二輪又は三輪の車両を所定範囲の場所において所定回数以上又は所定時間以上検出した場合に、該二輪又は三輪の車両を監視対象候補として特定する。監視対象候補取得部１２０は、例えば、同一と推定される物体をトラッキングする画像認識技術などを用いて、解析対象の映像において同一と推定される車両が検出された回数、又は、検出された時間の長さなどの情報を取得することができる。検出された回数が多い車両は、その所定範囲で頻繁に出現する車両と言える。また検出された時間が長い車両は、その所定範囲を長時間徘徊する車両と言える。そして、このような車両が二輪または三輪の車両であって、二人乗りの車両である場合、当該車両はひったくりなどの犯罪を起こし得る不審車両とも考えられる。そこで監視対象候補取得部１２０は、映像の解析結果に基づいて、このような車両を監視対象候補として特定する。ここで時空間情報取得部１１０が特定の種別の犯罪に関する高リスク時空間情報を取得している場合、監視対象候補取得部１２０は、その犯罪の種別に紐付けて予め定義された特徴を用いて、監視対象候補を精度よく特定することができる。なお、検出された回数が多い、或いは、検出された時間が長いと判断する閾値などを設けることで、監視対象候補取得部１２０は、その閾値を基に上述したような車両の有無を、解析対象の映像から判断することができる。この閾値などの情報は、例えば、図２のストレージ１０４等に予め格納されていてもよいし、図２の入出力インタフェース１０５や通信インタフェース１０６を介して取得されてもよい。
【００４０】
＜第４の具体例＞
本例では、時空間情報取得部１１０は、少なくとも、犯罪に関する高リスク時空間情報を取得する。ここで取得された高リスク時空間情報を基に、解析対象の映像が特定される。なお時空間情報取得部１１０は、ある特定の種別の犯罪に関する高リスク時空間情報を取得し、その種別に応じて解析対象の映像を特定してもよい。監視対象候補取得部１２０は、解析対象として特定された映像の範囲（撮像装置の撮像範囲）内の車両を認識する。監視対象候補取得部１２０は、様々な画像認識技術を用いることにより、解析対象の映像の範囲内の各車両（解析対象の映像の範囲内に立ち入った車両、立ち去った車両、滞在し続ける車両など）を認識する。そして監視対象候補取得部１２０は、各車両の所有者を含む情報を登録する記憶部（図示せず）を参照して該認識した車両の所有者を特定する。この記憶部は、例えば、地方の自治体のシステムに備えられている。監視対象候補取得部１２０は、特定した所有者を、既存の要監視者と照合する。要監視者とは、特に限定されないが、例えば、犯罪歴のある人物、手配中の人物、或いは、何らかの理由で監視対象に挙げられている人物などである。ここで時空間情報取得部１１０が特定の種別の犯罪に関する高リスク時空間情報を取得している場合、監視対象候補取得部１２０は、その種別を用いて照合に用いるデータを絞り込むことができる。既存の要監視者の情報は所定の記憶部（図示せず）に登録されており、この記憶部は、例えば警察機関のシステムに備えられている。そして監視対象候補取得部１２０は、その記憶部の中で該当する人物を監視対象候補として特定する。
【００４１】
＜第５の具体例＞
本例では、時空間情報取得部１１０は、少なくとも、交通事故や交通事故違反に関する高リスク時空間情報を取得する。なお時空間情報取得部１１０は、ある特定の種別の交通事故または交通規則違反に関する高リスク時空間情報を取得し、その種別に応じて解析対象の映像を特定してもよい。そして監視対象候補取得部１２０は、解析対象として特定された映像の範囲（撮像装置の撮像範囲）内の車両を認識する。監視対象候補取得部１２０は、様々な画像認識技術を用いることにより、解析対象の映像の範囲内の各車両（解析対象の映像の範囲内に立ち入った車両、立ち去った車両、滞在し続ける車両など）を認識する。そして監視対象候補取得部１２０は、認識した車両が、交通事故を起こした人物又は交通規則に違反した人物が所有する車両か否かを照合する。ここで時空間情報取得部１１０が特定の種別の交通事故または交通規則違反に関する高リスク時空間情報を取得している場合、監視対象候補取得部１２０は、その種別を用いて照合に用いるデータを絞り込むことができる。交通事故を起こした人物又は交通規則に違反した人物が所有する車両の情報は所定の記憶部（図示せず）に登録されており、この記憶部は、例えば地方の自治体のシステムに備えられている。そして監視対象候補取得部１２０は、その記憶部で該当する車両を監視対象候補として特定する。
【００４２】
＜その他の具体例＞
また、監視対象候補取得部１２０は、映像を取得する代わりに、現在捜査中の犯罪に関する情報の入力を受け付け、その情報を基に監視対象候補の情報を取得することもできる。例えば、監視対象候補取得部１２０は、現在捜査中の犯罪の手口を入力情報として取得した場合、既存の犯罪者や手配者の情報を記憶するデータベースを参照してプロファイリング結果を得ることができる。具体的には、監視対象候補取得部１２０は、同様の手口を使って犯罪を起こした人物、及びその人物の居住所や活動時間などの情報を監視対象候補の情報として取得することができる。
【００４３】
次いで対象時空間特定部１３０は、Ｓ１０６で取得された監視対象候補の情報を基に、高リスク時空間情報が示す、高リスクな空間領域および時間帯の中から、監視すべき空間領域又は監視すべき時間のうち少なくとも一方を特定する（Ｓ１０８）。
【００４４】
一の例として、監視対象候補取得部１２０で、現在時刻の映像、または、直近の時間範囲における映像を解析対象として特定し、その映像から監視対象候補の情報が取得されたとする。この場合、対象時空間特定部１３０は、取得された監視対象候補の情報の数を、高リスク時空間情報が示す空間領域単位で集計する。そして、対象時空間特定部１３０は、その集計数に応じて、同じ時間帯に高リスクとなる空間領域の優先度を決定する。ここで、高い優先度を付けられた空間領域ほど、監視すべき度合が高い空間領域と言える。対象時空間特定部１３０は、稼働可能なリソースが対応できる範囲で、優先度が高い順に監視すべき空間領域を特定する。稼働可能なリソースの情報は、特に限定されないが、例えば情報処理装置１０の所定の記憶領域に格納される。また、対象時空間特定部１３０は、その集計数に応じて、高リスクとなる空間領域で監視業務を行う時間を調節してもよい。対象時空間特定部１３０は、例えば、監視対象候補の数が多い、すなわち、潜在的なリスクが高い空間領域ほど、監視業務を行う時間と長く割り当てる。
【００４５】
また他の例として、監視対象候補取得部１２０が、高リスク時空間情報が示す空間領域および時間帯における過去の映像（例えば、前日又は１週間前の同じ空間領域かつ同じ時間帯の映像）を解析対象として特定し、その映像から監視対象候補の情報が取得されたとする。この場合、対象時空間特定部１３０は、取得された監視対象候補の情報の数を、例えば高リスク時空間情報が示す空間領域及び時間帯別に集計する。ここで得られる集計数は、その高リスク時空間情報が示す時空間のリスク傾向を示す情報となる。そして、対象時空間特定部１３０は、その集計数に応じて、同じ時間帯に高リスクとなる空間領域の優先度や、高リスクとなる空間領域で監視業務を行う時間を調節する。
【００４６】
さらに他の例として、監視対象候補取得部１２０が、空間領域及び時間帯毎に監視対象候補の情報の数を集計し、対象時空間特定部１３０が、その空間領域及び時間帯毎の集計数に応じて同じ時間帯に高リスクとなる空間領域の優先度や、高リスクとなる空間領域で監視業務を行う時間を調節してもよい。
【００４７】
このように、本実施形態において対象時空間特定部１３０は、監視対象候補の情報を用いて、監視すべき空間領域、監視すべき時間帯、及びその双方を調整することができる。そして当該調整された情報に基づいて、監視業務に係る戦略を監視業務の責任者が容易に立てることができる。
【００４８】
［第２実施形態］
本実施形態は、以下の点を除いて、第１実施形態と同様の機能構成、及び、ハードウエア構成を備える。
【００４９】
〔機能構成およびハードウエア構成〕
図７は、第２実施形態の情報処理装置１０の機能構成を概念的に示す図である。図７に示されるように、本実施形態の情報処理装置１０は、第１実施形態の構成に加えて、被害者候補情報取得部１４０を更に備える。本実施形態の情報処理装置１０は、後述する被害者候補情報取得部１４０の機能を実現するプログラムを図２のストレージ１０４に更に記憶している。プロセッサ１０２は、このプログラムモジュールを実行することにより、被害者候補情報取得部１４０の機能を更に実現する。
【００５０】
被害者候補情報取得部１４０は、事故又は犯罪の被害者候補の情報を取得する。被害者候補情報取得部１４０は、例えば、犯罪や事故の典型的な被害者のテンプレート情報を用いて、被害者候補を特定することができる。このテンプレート情報は、例えば、過去に発生した犯罪や事故の被害者の統計から生成することができる。被害者候補情報取得部１４０は、テンプレート情報を記憶するテンプレート情報記憶部（図示せず）を参照し、解析対象として特定された映像の中から、該テンプレート情報と一致する特徴を有する人物を被害者候補として特定する。なお、ここでいう"一致"とは、一定以上の類似度を示すことを言う。テンプレート情報記憶部は、情報処理装置１０に備えられていてもよいし、情報処理装置１０と通信可能に接続された他の装置に備えられていてもよい。
【００５１】
また、詳しくは後述するが、被害者候補情報取得部１４０は、監視対象候補取得部１２０で取得された監視対象候補の情報に基づいて、被害者候補を絞り込んで選択することもできる。
【００５２】
本実施形態の対象時空間特定部１３０は、被害者候補情報取得部１４０により取得された被害者候補の情報を用いて、監視すべき空間領域又は監視すべき時間帯の少なくとも一方を調整する。
【００５３】
〔動作例〕
図８を用いて、本実施形態の情報処理装置１０で実行される処理の流れを説明する。図８は、第２実施形態の情報処理装置１０の処理の流れを示すフローチャートである。以下では、第１実施形態における処理と異なる部分について主に説明する。
【００５４】
まず、Ｓ１０６で監視対象候補の情報が取得されると、被害者候補情報取得部１４０は、該監視対象候補に対応する被害者候補を特定し、その被害者候補の情報を取得する（Ｓ２０２）。例えば、監視対象候補取得部１２０で監視対象候補として特定された人物が、過去にひったくりをしたことがある人物であったとする。また、テンプレート情報記憶部は、例えば図９に示すような情報を記憶していたとする。図９は、テンプレート情報記憶部が記憶する情報の一例を示す図である。図９の例では、ひったくりに関して、年配者が特に平日の昼間の時間帯に被害に会いやすく、また、若い女性が特に平日の夜間に被害に会いやすいことを示すテンプレート情報が記憶されている。更に、ひったくりの共通情報として、車道側でバックを手持ちしている人物が被害に会いやすいことを示すテンプレート情報が記憶されている。また、接触事故に関して、子どもが特に平日の朝又は夕方に被害に会いやすいことを示す情報が記憶されている。この場合において、被害者候補情報取得部１４０は、図９のひったくりに関するテンプレート情報を、ひったくりの被害者候補の情報を解析対象の映像の中から特定して取得する。この被害者候補の情報は、単純にテンプレート情報に一致すると判定された数でもよいし、被害者候補として特定された人物に関連する情報（年齢、性別、歩き方、又は、物の持ち方のなどの情報）を含んでいてもよい。
【００５５】
次いで、対象時空間特定部１３０は、Ｓ１０６で取得した監視対象候補の情報と、Ｓ２０２で取得した被害者候補の情報とを用いて、監視すべき空間領域又は監視すべき時間帯の少なくともいずれか一方を特定する（Ｓ２０４）。例えば、対象時空間特定部１３０は、監視対象候補の数と被害者候補の数との対応関係に応じて、監視すべき空間領域の優先度、または、監視すべき時間の長さを調整する。
【００５６】
＜処理の変形例＞
なお、図８の例において、Ｓ１０６の処理とＳ２０２の処理は並列に実行されてもよい。また、図８の例において、Ｓ１０６の処理を実行せずにＳ２０２の処理のみが実行されてもよい。この場合、情報処理装置１０は、監視対象候補取得部１２０を備えていなくてもよい。対象時空間特定部１３０は、Ｓ２０２で得られる被害者候補の数（被害者候補の情報の数）が多い空間領域又は時間帯を、監視すべき空間領域又は監視すべき時間帯としてＳ２０４で特定する。なお、被害者候補の数が多いと判断する閾値などを設けることで、対象時空間特定部１３０は、その閾値を基に監視すべき空間領域又は監視すべき時間帯を特定することができる。この閾値などの情報は、例えば、図２のストレージ１０４等に予め格納されていてもよいし、図２の入出力インタフェース１０５や通信インタフェース１０６を介して取得されてもよい。このようにすることで、被害者となり得る人物の数に基づいて特定された空間領域又は時間帯を中心に、警備や防犯活動といった監視業務に係る戦略を責任者が容易に立てることができる。
【００５７】
〔作用・効果〕
以上、本実施形態によれば、被害者候補の情報を用いて、監視すべき空間領域又は監視すべき時間帯の少なくとも一方が調整される。これにより、本実施形態によれば、重点的に監視すべき空間領域または重点的に監視すべき時間帯をより精度よく特定することができる。例えば、監視対象候補が特定されたとしても、被害者候補が存在しない場合には、事故や犯罪が発生する可能性は低いと判断できる。一方、監視対象候補と被害者候補の双方が近い場所で検出された場合、事故や犯罪が発生する可能性は高いと判断できる。また、監視対象候補と被害者候補の双方が近い時間帯で検出された場合、事故や犯罪が発生する可能性は高いと判断できる。本実施形態の情報処理装置１０は、この監視対象候補の情報と被害者候補の情報との組み合わせによって判断されるリスクに応じて、監視すべき空間領域と監視すべき時間帯とを精度よく特定できる。なお、第１実施形態と同様に、本実施形態の情報処理装置１０は、現在時刻の映像、または、直近の時間範囲における映像からリアルタイムな被害者候補を特定してリスクを判断することもできるし、過去の映像から被害者候補の行動傾向を特定してリスクを判断することもできる。
【００５８】
［第３実施形態］
本実施形態は、以下の点を除き、第１実施形態及び第２実施形態と同様の機能構成およびハードウエア構成を備える。なお、以下では第１実施形態の構成をベースとする例を示す。
【００５９】
〔機能構成〕
図１０は、第３実施形態の情報処理装置１０の機能構成を概念的に示す図である。図１０に示されるように、本実施形態の情報処理装置１０は、第１実施形態の構成に加えて、環境情報取得部１５０を更に有する。本実施形態の情報処理装置１０は、後述する環境情報取得部１５０の機能を実現するプログラムをストレージ１０４に更に記憶している。プロセッサ１０２は、このプログラムモジュールを実行することにより、環境情報取得部１５０の機能を更に実現する。
【００６０】
環境情報取得部１５０は、解析対象として特定された映像又は該映像の場所を特定する情報に基づいて、該映像に含まれる領域の環境情報を生成する。ここで「環境情報」とは、事故や犯罪の発生確率に影響を与え得る環境的要因に関する情報である。環境情報の具体的な例としては、例えば、人や車両の混雑度を示す情報、人や車両の流れを示す情報、車両の停車状況を示す情報、道の見通しの良さ・悪さを示す情報、周囲を木などの遮蔽物で囲まれていて中の状況が分かりづらい場所か否かを示す情報、照明器具がある場所か否か（十分な明るさがある場所か否か）を示す情報などが挙げられる。但し、環境情報はここで挙げた例に限定されない。例えば、車載のドライブレコーダ等から集積された情報を解析して得られる情報を用いて、環境情報を生成することもできる。具体的には、車両が急にブレーキを踏んだ情報を収集して集計し、その場所で急ブレーキがよく踏まれるか否か（すなわち、事故に繋がり得る挙動が発生しやすい場所か否か）を示す情報を環境情報として生成することができる。
【００６１】
本実施形態の対象時空間特定部１３０は、環境情報取得部１５０により取得された環境情報を用いて、監視すべき空間領域又は監視すべき時間帯の少なくとも一方を調整する。
【００６２】
〔動作例〕
図１１を用いて、本実施形態の情報処理装置１０で実行される処理の流れを説明する。図１１は、第３実施形態の情報処理装置１０の処理の流れを示すフローチャートである。以下では、第１実施形態における処理と異なる部分について主に説明する。
【００６３】
環境情報取得部１５０は、後述の具体例で示すように、解析対象として特定された映像を基に、環境情報を取得する（Ｓ３０２）。但し、環境情報取得部１５０が実行する処理は、後述の具体例に限定されない。
【００６４】
一の例として、環境情報取得部１５０は、映像を解析して、歩行者や車両の単位面積あたりの密度（混雑度）や移動方向・移動速度（車両や歩行者の流れ）などを算出し、映像の範囲（撮像装置の撮像範囲）周辺の混雑状況を示す環境情報を取得する。例えば、人や車両が混雑している場所では、混雑していない場所よりも、接触事故といった事故が起こるリスクが高いと言える。また、人や車両が少ない場所では、周囲の人目が少ないこともあり、犯罪が発生するリスクが高いと言える。環境情報取得部１５０は、このような混雑状況を示す情報を、環境情報として取得する。
【００６５】
また他の例として、環境情報取得部１５０は、映像を解析して、犯罪や事故を誘発させるような死角の有無を検出することもできる。例えば、植木、民家の塀、又は、停車中の車両など、死角を生じさせる物体が存在する場合、その物体により死角が生まれる。このような死角がある場合、その死角から歩行者が突然出てくる可能性がある。すなわち、死角を生じさせる物体が存在する場所は、何もない見通しが良い場所と比較して、車両や他の人物との接触事故が発生するリスクが高いと言える。また、死角を生じさせる物体が存在する場所は、何もない見通しが良い場所と比較して人目が届かないこともあり、何らかの犯罪が発生するリスクが高いとも言える。そこで、環境情報取得部１５０は、解析対象の映像の中から、植木、民家の塀、又は、停車中の車両などの死角を生じさせる物体を検知し、そのような物体の有無またはその数などを環境情報として取得する。
【００６６】
上記の具体例では、環境情報取得部１５０が、映像を解析して環境情報を取得する例を示したが、環境情報取得部１５０は、映像を解析しなくとも、該映像の場所を特定する情報に基づいて、環境情報を取得することができる。例えば、図１２に示されるように、位置情報と環境情報とを紐付けて記憶する環境情報記憶部が予め用意されている場合、環境情報取得部１５０は、高リスク時空間情報が示す空間領域や時間帯を用いて、該環境情報記憶部から環境情報を取得することができる。例えば、Ｓ１０２で取得した高リスク時空間情報に基づいて、図５の撮像装置ＩＤが「Ｃ００１」の撮像装置が特定されたとする。この場合、環境情報取得部１５０は、該撮像装置に対応する位置情報「（ｘＣ１，ｙＣ１）」に基づいて、図１２の位置情報（ｘＣ１，ｙＣ１）に対応する環境情報を取得することができる。この例では、撮像装置に対応する位置情報「（ｘＣ１，ｙＣ１）」が「映像の場所を特定する情報」である。
【００６７】
次いで、対象時空間特定部１３０は、Ｓ１０６で取得した監視対象候補の情報と、Ｓ３０２で取得した環境情報とを用いて、監視すべき空間領域または監視すべき時間帯を特定する（Ｓ３０４）。例えば、対象時空間特定部１３０は、Ｓ３０２で取得した環境情報によって示される死角の数や混雑度合などをパラメータとして、監視すべき空間領域の優先度や、監視すべき時間帯（時間の長さ）を調整する所定の数式を用いて、Ｓ１０６で取得した監視対象候補の情報に基づいて特定された監視すべき空間領域又は監視すべき時間を調整する。但し、本実施形態の対象時空間特定部１３０で実行される処理はこの例に制限されない。
【００６８】
＜処理の変形例＞
なお、図１１の例において、Ｓ１０６の処理とＳ３０２の処理は並列に実行されてもよい。また、図１１の例において、Ｓ１０６の処理を実行せずにＳ３０２の処理のみが実行されてもよい。この場合、情報処理装置１０は、監視対象候補取得部１２０を備えていなくてもよい。対象時空間特定部１３０は、例えば、Ｓ３０２で取得した環境情報によって示される死角の数や混雑度合などをパラメータとして、監視すべき空間領域の優先度や、監視すべき時間帯（時間の長さ）を算出する所定の数式を用いて、監視すべき空間領域又は監視すべき時間帯を特定する。このようにすることで、被害者候補を抽出しない場合でも、解析対象の映像から抽出される環境情報又は予め設定された環境情報に応じて監視すべき空間領域又は監視すべき時間帯を特定することができる。そして、ここで特定された情報に基づいて、警備や防犯活動といった監視業務に係る戦略を責任者が容易に立てることができる。
【００６９】
〔作用・効果〕
以上、本実施形態では、解析対象の映像、又は、該映像を特定する情報を基に得られる環境情報に基づいて、監視すべき空間領域および監視すべき時間帯の少なくとも一方が調整される。ここで、上述したように、死角の多い場所などでは、事故や犯罪のリスクが高くなると言える。本実施形態の情報処理装置１０は、死角を生じさせる物体の有無またはそのような物体の数などを示す環境情報を、監視すべき空間領域または監視すべき時間帯を特定する処理に用いている。これにより、本実施形態によれば、重点的に監視すべき空間領域または重点的に監視すべき時間帯をより精度よく特定することができる。なお本実施形態の情報処理装置１０は、映像から環境情報を取得する場合、現在時刻の映像、または、直近の時間範囲における映像から環境情報をしてもよいし、過去の映像からその場所の環境の傾向を判定して環境情報を取得してもよい。
【００７０】
［第４実施形態］
本実施形態は、以下の点を除き、第１実施形態乃至第３実施形態と同様の機能構成およびハードウエア構成を備える。なお、以下では第１実施形態の構成をベースとする例を示す。
【００７１】
〔機能構成〕
図１３は、第４実施形態の情報処理装置１０の機能構成を概念的に示す図である。本実施形態の情報処理装置１０は、第１実施形態の構成に加えて、データベース生成部１６０を更に有する。本実施形態の情報処理装置１０は、後述するデータベース生成部１６０の機能を実現するプログラムをストレージ１０４に更に記憶している。プロセッサ１０２は、このプログラムモジュールを実行することにより、データベース生成部１６０の機能を更に実現する。
【００７２】
データベース生成部１６０は、監視すべき空間領域又は監視すべき時間帯の少なくとも一方に応じた監視の結果の入力を受け付け、該入力された結果をデータベース化する。データベース生成部１６０は、情報処理装置１０の入力装置や、他の装置と通信して、監視の結果の入力を受け付ける。「監視業務の結果」は、例えば、対象時空間特定部１３０によって特定された監視すべき空間領域又は監視すべき時間帯に監視業務を行った人員の数や滞在時間などの情報、その空間領域内で発見した犯罪者候補や被害者候補の数、又は、その空間領域内で発見した事故または犯罪の数などを含む。データベース生成部１６０は、このような入力情報を受け付けると、監視結果データベース１６２にその入力情報を蓄積する。
【００７３】
本実施形態の対象時空間特定部１３０は、データベース生成部１６０によって生成、管理されるデータベースの情報を用いて、監視すべき空間領域又は監視すべき時間帯の少なくとも一方を調整する。例えば、ある空間領域において、監視の有無、および監視時間の長さにかかわらず、犯罪者候補や被害者候補の数や事故又は犯罪の件数が変わらないとする。このような空間領域は、監視業務による利益の少ない空間領域などと考えられる。一方で、ある空間領域において、監視業務の有無または監視時間の長さによって、犯罪者候補や被害者候補の数や事故又は犯罪の件数が一定以上の変動を見せたとする。このような空間領域は、監視業務による利益の多い空間領域などと考えられる。対象時空間特定部１３０は、このように監視結果データベース１６２に蓄積される情報を解析して、より効果的な監視計画（監視すべき空間領域および監視すべき時間帯）を特定することができる。
【００７４】
〔作用・効果〕
以上、本実施形態では、監視業務を行った結果がデータベース化され、そのデータベース化された結果が、監視すべき空間領域または監視すべき時間帯の特定する処理で用いられる。これにより、本実施形態によれば、例えば監視業務の責任者が、実際に得られる監視業務の効果に応じて、より効果的な配置計画を立案することができる。
【００７５】
［第５実施形態］
本実施形態では、監視業務を行った結果を、高リスク時空間の予測に活用する形態を例示する。
【００７６】
〔機能構成およびハードウエア構成〕
本実施形態の情報処理装置１０は、第４実施形態と同様に、図１３に示すような機能構成を備える。また、本実施形態の情報処理装置１０は、各実施形態と同様に、図２に示すようなハードウエア構成を備える。
【００７７】
本実施形態の時空間情報取得部１１０は、例えば特許文献２や特許文献３と同様に、過去の犯罪や事故の発生履歴などを用いて高リスク時空間を予測して、高リスク時空間情報を取得する。時空間情報取得部１１０は、高リスク時空間を予測する際のパラメータとして、各空間領域の特性（人や車両の時間帯別の平均的な交通量、その空間領域に存在する死角の数など）を更に利用してもよい。また、本実施形態の時空間情報取得部１１０は、監視結果データベース１６２に記憶された監視業務の結果を、フィードバック情報として取得する。そして時空間情報取得部１１０は、高リスク時空間情報を予測処理に、取得したフィードバック情報を更に利用する。
【００７８】
上述したように、監視結果データベース１６２には、対象時空間特定部１３０によって特定された監視すべき空間領域又は監視すべき時間帯に監視業務を行った人員の数や滞在時間などの情報、その空間領域内で発見した犯罪者候補や被害者候補の数、又は、その空間領域内で発見した事故または犯罪の数などを含む情報が格納されている。監視結果データベース１６２に格納されている情報は、「高リスク」と予測された時空間における、実際のリスクの結果を示し得る。つまり、監視結果データベース１６２に格納されている情報（フィードバック情報）は、より精度よく高リスク時空間を予測（調整）するための補正パラメータとして利用できる。ここで、時空間情報取得部１１０が取得するフィードバック情報は、監視結果データベース１６２に格納されている一部の情報（例えば、指定された期間（数週間、数か月など）の情報）であってもよいし、監視結果データベース１６２に格納されている全ての情報であってもよい。
【００７９】
〔作用・効果〕
以上、本実施形態では、監視業務を行った結果がデータベース化されており、そのデータベース化された結果（フィードバック情報）が、高リスク時空間を予測する処理の補正パラメータとして利用される。本実施形態によれば、監視業務を実際に行った結果を用いて、高リスク時空間をより精度よく予測することが可能となる。
【００８０】
以上、図面を参照して本発明の実施形態について述べたが、これらは本発明の例示であり、上記各実施形態の組み合わせ、又は上記以外の様々な構成を採用することもできる。
【００８１】
以下、参考形態の例を付記する。
１．
事故発生の可能性又は犯罪発生の可能性が高くなる空間領域及びその時間帯を示す高リスク時空間情報を取得する時空間情報取得手段と、
前記高リスク時空間情報に基づいて、複数の場所のそれぞれを撮像することにより生成された複数の映像の中から解析対象の映像を特定し、該特定された映像を解析して、監視対象候補の情報を取得する監視対象候補取得手段と、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段と、
を備える、情報処理装置。
２．
事故又は犯罪の被害者候補の情報を取得する被害者候補情報取得手段を更に備え、
前記対象時空間特定手段は、
前記被害者候補の情報を用いて、前記監視すべき空間領域又は前記監視すべき時間帯の少なくとも一方を調整する、
１．に記載の情報処理装置。
３．
前記被害者候補情報取得手段は、
前記監視対象候補の情報に関連する事故又は犯罪の情報を基に、前記被害者候補を選択する、
２．に記載の情報処理装置。
４．
前記特定された映像又は該映像の場所を特定する情報に基づいて、該映像に含まれる領域の環境情報を取得する環境情報取得手段を更に備え、
前記対象時空間特定手段は、
前記環境情報を用いて、前記監視すべき空間領域又は前記監視すべき時間帯の少なくとも一方を調整する、
１．から３．のいずれか１つに記載の情報処理装置。
５．
前記監視すべき空間領域又は前記監視すべき時間帯の少なくとも一方に応じた監視の結果の入力を受け付け、該入力された結果をデータベース化するデータベース化手段を更に備える、
１．から４．のいずれか１つに記載の情報処理装置。
６．
前記対象時空間特定手段は、
前記データベース化された結果を用いて、前記監視すべき空間領域又は前記監視すべき時間帯の少なくとも一方を調整する、
５．に記載の情報処理装置。
７．
前記時空間情報取得手段は、
前記データベース化された結果をフィードバック情報として取得し、
当該取得したフィードバック情報を、事故発生の可能性又は犯罪発生の可能性が高くなる空間領域及び時間帯の予測処理に利用し、前記高リスク時空間情報を取得する、
５．に記載の情報処理装置。
８．
前記監視対象候補取得手段は、
前記特定された映像の範囲内の人物を認識し、
該認識した人物と、既存の要監視者の情報を登録する記憶手段の前記要監視者と照合し、
該記憶手段の中で該当する人物を前記監視対象候補として特定する、
１．から７．のいずれか１つに記載の情報処理装置。
９．
前記監視対象候補取得手段は、
前記特定された映像を解析した結果、同一と推定される人物を所定範囲の場所において所定回数以上又は所定時間以上検出した場合に、該人物を前記監視対象候補として特定する、
１．から８．のいずれか１つに記載の情報処理装置。
１０．
前記監視対象候補取得手段は、
前記特定された映像を解析した結果、同一と推定される二輪又は三輪の車両であって、二人乗りをしている二輪又は三輪の車両を所定範囲の場所において所定回数以上又は所定時間以上検出した場合に、該二輪又は三輪の車両を前記監視対象候補として特定する、
１．から９．のいずれか１つに記載の情報処理装置。
１１．
前記監視対象候補取得手段は、
前記特定された映像の範囲内の車両を認識し、
各車両の所有者を含む情報を登録する記憶手段を参照して該認識した車両の所有者を特定し、
該特定した所有者と、既存の要監視者の情報を登録する記憶手段の前記要監視者と照合し、
該記憶手段の中で該当する人物を前記監視対象候補として特定する、
１．から１０．のいずれか１つに記載の情報処理装置。
１２．
前記監視対象候補取得手段は、
前記特定された映像の範囲内の車両を認識し、
該認識した車両を、交通事故を起こした人物又は交通規則に違反した人物が所有する車両の情報を登録する記憶手段の前記車両と照合し、
該記憶手段で該当する車両を前記監視対象候補として特定する、
１．から１１．のいずれか１つに記載の情報処理装置。
１３．
コンピュータが、
事故発生の可能性又は犯罪発生の可能性が高くなる空間領域及びその時間帯を示す高リスク時空間情報を取得し、
前記高リスク時空間情報に基づいて、複数の場所のそれぞれを撮像することにより生成された複数の映像の中から解析対象の映像を特定し、該特定された映像を解析して、監視対象候補の情報を取得し、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する、
ことを含む情報処理方法。
１４．
前記コンピュータが、
事故又は犯罪の被害者候補の情報を取得し、
前記被害者候補の情報を用いて、前記監視すべき空間領域又は前記監視すべき時間帯の少なくとも一方を調整する、
ことを更に含む１３．に記載の情報処理方法。
１５．
前記コンピュータが、
前記監視対象候補の情報に関連する事故又は犯罪の情報を基に、前記被害者候補を選択する、
ことを更に含む１４．に記載の情報処理方法。
１６．
前記コンピュータが、
前記特定された映像又は該映像の場所を特定する情報に基づいて、該映像に含まれる領域の環境情報を取得し、
前記環境情報を用いて、前記監視すべき空間領域又は前記監視すべき時間帯の少なくとも一方を調整する、
ことを更に含む１３．から１５．のいずれか１つに記載の情報処理方法。
１７．
前記コンピュータが、
前記監視すべき空間領域又は前記監視すべき時間帯の少なくとも一方に応じた監視の結果の入力を受け付け、該入力された結果をデータベース化する、
ことを更に含む１３．から１６．のいずれか１つに記載の情報処理方法。
１８．
前記コンピュータが、
前記データベース化された結果を用いて、前記監視すべき空間領域又は前記監視すべき時間帯の少なくとも一方を調整する、
ことを更に含む１７．に記載の情報処理方法。
１９．
前記コンピュータが、
前記データベース化された結果をフィードバック情報として取得し、
当該取得したフィードバック情報を、事故発生の可能性又は犯罪発生の可能性が高くなる空間領域及び時間帯の予測処理に利用し、前記高リスク時空間情報を取得する、
ことを更に含む１７．に記載の情報処理方法。
２０．
前記コンピュータが、
前記特定された映像の範囲内の人物を認識し、
該認識した人物と、既存の要監視者の情報を登録する記憶手段の前記要監視者と照合し、
該記憶手段の中で該当する人物を前記監視対象候補として特定する、
ことを更に含む１３．から１９．のいずれか１つに記載の情報処理方法。
２１．
前記コンピュータが、
前記特定された映像を解析した結果、同一と推定される人物を所定範囲の場所において所定回数以上又は所定時間以上検出した場合に、該人物を前記監視対象候補として特定する、
ことを更に含む１３．から２０．のいずれか１つに記載の情報処理方法。
２２．
前記コンピュータが、
前記特定された映像を解析した結果、同一と推定される二輪又は三輪の車両であって、二人乗りをしている二輪又は三輪の車両を所定範囲の場所において所定回数以上又は所定時間以上検出した場合に、該二輪又は三輪の車両を前記監視対象候補として特定する、
ことを更に含む１３．から２１．のいずれか１つに記載の情報処理方法。
２３．
前記コンピュータが、
前記特定された映像の範囲内の車両を認識し、
各車両の所有者を含む情報を登録する記憶手段を参照して該認識した車両の所有者を特定し、
該特定した所有者と、既存の要監視者の情報を登録する記憶手段の前記要監視者と照合し、
該記憶手段の中で該当する人物を前記監視対象候補として特定する、
ことを更に含む１３．から２２．のいずれか１つに記載の情報処理方法。
２４．
前記コンピュータが、
前記特定された映像の範囲内の車両を認識し、
該認識した車両を、交通事故を起こした人物又は交通規則に違反した人物が所有する車両の情報を登録する記憶手段の前記車両と照合し、
該記憶手段で該当する車両を前記監視対象候補として特定する、
ことを更に含む１３．から２３．のいずれか１つに記載の情報処理方法。
２５．
コンピュータを、
事故発生の可能性又は犯罪発生の可能性が高くなる空間領域及びその時間帯を示す高リスク時空間情報を取得する時空間情報取得手段、
前記高リスク時空間情報に基づいて、複数の場所のそれぞれを撮像することにより生成された複数の映像の中から解析対象の映像を特定し、該特定された映像を解析して、監視対象候補の情報を取得する監視対象候補取得手段、
前記監視対象候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段、
として機能させるためのプログラム。
２６．
前記コンピュータを、
事故又は犯罪の被害者候補の情報を取得する被害者候補情報取得手段、
前記被害者候補の情報を用いて、前記監視すべき空間領域又は前記監視すべき時間帯の少なくとも一方を調整する手段、
として更に機能させるための２５．に記載のプログラム。
２７．
前記コンピュータを、
前記監視対象候補の情報に関連する事故又は犯罪の情報を基に、前記被害者候補を選択する手段、
として更に機能させるための２６．に記載のプログラム。
２８．
前記コンピュータを、
前記特定された映像又は該映像の場所を特定する情報に基づいて、該映像に含まれる領域の環境情報を取得する環境情報取得手段、
前記環境情報を用いて、前記監視すべき空間領域又は前記監視すべき時間帯の少なくとも一方を調整する手段、
として更に機能させるための２５．から２７．のいずれか１つに記載のプログラム。
２９．
前記コンピュータを、
前記監視すべき空間領域又は前記監視すべき時間帯の少なくとも一方に応じた監視の結果の入力を受け付け、該入力された結果をデータベース化するデータベース化手段、
として更に機能させるための２５．から２８．のいずれか１つに記載のプログラム。
３０．
前記コンピュータを、
前記データベース化された結果を用いて、前記監視すべき空間領域又は前記監視すべき時間帯の少なくとも一方を調整する手段、
として更に機能させるための２９．に記載のプログラム。
３１．
前記コンピュータを、
前記データベース化された結果をフィードバック情報として取得する手段、
当該取得したフィードバック情報を、事故発生の可能性又は犯罪発生の可能性が高くなる空間領域及び時間帯の予測処理に利用し、前記高リスク時空間情報を取得する手段、
として更に機能させるための２９．に記載のプログラム。
３２．
前記コンピュータを、
前記特定された映像の範囲内の人物を認識する手段、
該認識した人物と、既存の要監視者の情報を登録する記憶手段の前記要監視者と照合する手段、
該記憶手段の中で該当する人物を前記監視対象候補として特定する手段、
として更に機能させるための２５．から３１．のいずれか１つに記載のプログラム。
３３．
前記コンピュータを、
前記特定された映像を解析した結果、同一と推定される人物を所定範囲の場所において所定回数以上又は所定時間以上検出した場合に、該人物を前記監視対象候補として特定する手段、
として更に機能させるための２５．から３２．のいずれか１つに記載のプログラム。
３４．
前記コンピュータを、
前記特定された映像を解析した結果、同一と推定される二輪又は三輪の車両であって、二人乗りをしている二輪又は三輪の車両を所定範囲の場所において所定回数以上又は所定時間以上検出した場合に、該二輪又は三輪の車両を前記監視対象候補として特定する手段、
として機能させるための２５．から３３．のいずれか１つに記載のプログラム。
３５．
前記コンピュータを、
前記特定された映像の範囲内の車両を認識する手段、
各車両の所有者を含む情報を登録する記憶手段を参照して該認識した車両の所有者を特定する手段、
該特定した所有者と、既存の要監視者の情報を登録する記憶手段の前記要監視者と照合する手段、
該記憶手段の中で該当する人物を前記監視対象候補として特定する手段、
として更に機能させるための２５．から３４．のいずれか１つに記載のプログラム。
３６．
前記コンピュータを、
前記特定された映像の範囲内の車両を認識する手段、
該認識した車両を、交通事故を起こした人物又は交通規則に違反した人物が所有する車両の情報を登録する記憶手段の前記車両と照合する手段、
該記憶手段で該当する車両を前記監視対象候補として特定する手段、
として機能させるための２５．から３５．のいずれか１つに記載のプログラム。
３７．
事故発生の可能性又は犯罪発生の可能性が高くなる空間領域及びその時間帯を示す高リスク時空間情報を取得する時空間情報取得手段と、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得する被害者候補情報取得手段と、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段と、
を備える、情報処理装置。
３８．
コンピュータが、
事故発生の可能性又は犯罪発生の可能性が高くなる空間領域及びその時間帯を示す高リスク時空間情報を取得し、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得し、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する、
ことを含む情報処理方法。
３９．
コンピュータを、
事故発生の可能性又は犯罪発生の可能性が高くなる空間領域及びその時間帯を示す高リスク時空間情報を取得する時空間情報取得手段、
前記高リスク時空間情報に基づいて、複数の場所のそれぞれを撮像することにより生成された複数の映像の中から解析対象の映像を特定し、該特定された映像を解析して、事故又は犯罪の被害者候補の情報を取得する被害者候補情報取得手段、
前記被害者候補の情報に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段、
として機能させるためのプログラム。
【００８２】
この出願は、２０１６年１月２９日に出願された日本出願特願２０１６−０１５７１３号を基礎とする優先権を主張し、その開示の全てをここに取り込む。
【図１】
2020187781.tif 000003
【図２】
2020187781.tif 000004
【図３】
2020187781.tif 000005
【図４】
2020187781.tif 000006
【図５】
2020187781.tif 000007
【図６】
2020187781.tif 000008
【図７】
2020187781.tif 000009
【図８】
2020187781.tif 000010
【図９】
2020187781.tif 000011
【図１０】
2020187781.tif 000012
【図１１】
2020187781.tif 000013
【図１２】
2020187781.tif 000014
【図１３】
2020187781.tif 000015
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
事故発生の可能性又は犯罪発生の可能性が高くなる空間領域と、その時間帯及び年月日の少なくともいずれか一方と、を示す高リスク時空間情報を取得する時空間情報取得手段と、
撮像装置により撮像された映像に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段と、
を備える、情報処理装置。
【請求項２】
事故又は犯罪の被害者候補の情報を取得する被害者候補情報取得手段を更に備え、
前記対象時空間特定手段は、
前記被害者候補の情報を用いて、前記監視すべき空間領域又は前記監視すべき時間帯の少なくとも一方を調整する、
請求項１に記載の情報処理装置。
【請求項３】
コンピュータが、
事故発生の可能性又は犯罪発生の可能性が高くなる空間領域と、その時間帯及び年月日の少なくともいずれか一方と、を示す高リスク時空間情報を取得し、
撮像装置により撮像された映像に基づいて、前記高リスク時空間情報が示す空間領域及び時間帯の中で、前記空間領域の少なくとも一部である監視すべき空間領域、又は監視すべき時間帯の少なくとも一方を特定する、
ことを含む情報処理方法。
【請求項４】
前記コンピュータが、
事故又は犯罪の被害者候補の情報を取得し、
前記被害者候補の情報を用いて、前記監視すべき空間領域又は前記監視すべき時間帯の少なくとも一方を調整する、
ことを含む請求項３に記載の情報処理方法。
【請求項５】
コンピュータを、
事故発生の可能性又は犯罪発生の可能性が高くなる空間領域と、その時間帯及び年月日の少なくともいずれか一方と、を示す高リスク時空間情報を取得する時空間情報取得手段、
撮像装置により撮像された映像に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段、
として機能させるためのプログラム。
【請求項６】
前記コンピュータを、
事故又は犯罪の被害者候補の情報を取得する被害者候補情報取得手段、
前記被害者候補の情報を用いて、前記監視すべき空間領域又は前記監視すべき時間帯の少なくとも一方を調整する手段、
として機能させるための請求項５に記載のプログラム。
【手続補正２】
【補正対象書類名】明細書
【補正対象項目名】０００７
【補正方法】変更
【補正の内容】
【０００７】
本発明によれば、
事故発生の可能性又は犯罪発生の可能性が高くなる空間領域と、その時間帯及び年月日の少なくともいずれか一方と、を示す高リスク時空間情報を取得する時空間情報取得手段と、
撮像装置により撮像された映像に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段と、
を備える、情報処理装置が提供される。
【手続補正３】
【補正対象書類名】明細書
【補正対象項目名】０００８
【補正方法】変更
【補正の内容】
【０００８】
本発明によれば、
コンピュータが、
事故発生の可能性又は犯罪発生の可能性が高くなる空間領域と、その時間帯及び年月日の少なくともいずれか一方と、を示す高リスク時空間情報を取得し、
撮像装置により撮像された映像に基づいて、前記高リスク時空間情報が示す空間領域及び時間帯の中で、前記空間領域の少なくとも一部である監視すべき空間領域、又は監視すべき時間帯の少なくとも一方を特定する、
ことを含む情報処理方法が提供される。
【手続補正４】
【補正対象書類名】明細書
【補正対象項目名】０００９
【補正方法】変更
【補正の内容】
【０００９】
本発明によれば、
コンピュータを、
事故発生の可能性又は犯罪発生の可能性が高くなる空間領域と、その時間帯及び年月日の少なくともいずれか一方と、を示す高リスク時空間情報を取得する時空間情報取得手段、
撮像装置により撮像された映像に基づいて、前記高リスク時空間情報が示す空間領域及び時間帯の中で、前記空間領域の少なくとも一部である監視すべき空間領域、又は監視すべき時間帯の少なくとも一方を特定する対象時空間特定手段、
として機能させるためのプログラムが提供される。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】